(57)【要約】      （修正有）【課題】食事用エプロン、眼鏡又は手荷物等の種々の物品の吊り下げのために用いることが可能で、長さ調節が可能であり、かつ意匠性に優れた多用途装飾トラップを提供する。【解決手段】両端側の端コマ１、１と、その間の制動コマ２、２…と、一方の端コマ１から制動コマ２、２…を貫通させ、他方の端コマ１の外周側を通過させて折り返し、その端コマ１を反対側から貫通させ、再度、制動コマ２、２…を反対側から貫通させた上で、一方の端コマ１を貫通させて折返し、その外周側を通って延長する。また制動コマ２、２…及び他方の端コマ１を貫通させるストラップ本体３と、その中央部の中央目印体４と、制動コマ２を内側に位置させ、かつそれ自体をストラップ本体３の束間に位置させた制動補助円環５と、末端折返し部７から末端の留め用球体６までを装飾コマ８に貫通させた上で、各末端折返し部７に結合した吊り下げ対象を連結する連結手段９とからなる。【選択図】図１
0003177240.tif 000002
【実用新案登録請求の範囲】
【請求項１】
貫通穴を有する両端側の二個の端コマと、
前記両端側の二個の端コマの間に位置する装飾を兼ねた貫通穴を有する複数の制動コマと、
一端側の端コマの貫通穴を貫通させ、かつ両端側の端コマ間に位置する制動コマの貫通穴を貫通させた上で、他端側の端コマの外周側を通過させて折り返し、該他端側の端コマの貫通穴を反対側から貫通させ、再度、両端側の端コマ間に位置する制動コマの貫通穴を貫通させた上で、前記一端側の端コマの貫通穴を貫通させて折返し、該一端側の端コマの外周側を通って延長し、また両端側の端コマ間に位置する制動コマの貫通穴を貫通させ、更に他端側の端コマの貫通穴を貫通させて延長するストラップ本体と、
前記二度の折返しによって三本の束状になった一本のストラップ本体の長さ方向中央部に配した中央目印体と、
前記中央目印体の両側に位置するそれぞれ複数の制動コマのうちの各々一以上の制動コマに、該制動コマをその内側に位置させ、かつそれ自体を前記二度の折返しによって三本の束状になったストラップ本体の間に位置させるべく配した装飾兼用の制動補助円環と、
前記ストラップ本体の両端部に各々留め用球体を結合し、そのストラップ本体を各々留め用球体を結合した両端部近傍で折り返し、各々該ストラップ本体の該両端部近傍の折返し部から該留め用球体までを貫通穴を備えた一以上の装飾コマの該貫通穴に貫通させた上で、該両端部近傍の折り返し部に結合させた吊り下げ対象を連結するための連結手段と、
で構成した多用途装飾ストラップ。
【請求項２】
前記ストラップ本体として、複数本のストラップ材で構成したそれを採用した請求項１の多用途装飾ストラップ。
【請求項３】
前記連結手段として、メガネのつるに外装係止するための弾力性環体、エプロンの縁を掴むためのクリップ又はカバンの取っ手に係止するためのカラビナ又はフックを採用した請求項１又は２の多用途装飾ストラップ。
【考案の詳細な説明】
【技術分野】
【０００１】
本考案は、要介護者用の食事用エプロン、眼鏡、カバンや袋物類又は手荷物等の種々の物品の吊り下げのために用いる長さ調節可能な多用途装飾ストラップに関する。
【背景技術】
【０００２】
前記多用途装飾ストラップに類する物品に関するいくつかの提案例がある。
特許文献１は、その一つで、エプロンホルダーに関し、長さを調節しうる連結具と、該連結具の両端にそれぞれ丸かんを介して接続したチェーンと、該各チェーンの外端部にそれぞれ丸かん介して接続した把持具接続具と、両把持具接続具に接続したハンカチ、タオル、ナプキン等を把持しうる把持具とで構成したものである。
【０００３】
この特許文献１のエプロンホルダーによれば、その両端の把持具でナプキン等の一辺の二箇所をそれぞれ把持した上で、該エプロンホルダーの連結具付近を首の後ろ側に位置するように首に掛ければ、該ナプキンを胸の前に垂らした状態にし、該ナプキンをエプロンとして使用しう得るようにすることができる。
【０００４】
また前記連結具は長さ調節可能であるということなので、胸の前のナプキンの高さが不適当であれば、該連結具の長さを調節して、その高さを適切なそれに調節できる。もっとも、この連結具に関しては、具体的な説明は一切ないので、どのようにして伸縮調節するのか不明である。図面からもそれは明らかになっていない。その伸縮操作が簡単かどうかは不明である。またこのエプロンホルダーはアクセサリー感覚で使用可能とあるが、デザイン性も十分であるとは云えない。
【０００５】
特許文献２は、特に関連性を有するのは、エプロン類用着用バンド・物挟み吊下げバンドに関するものであり、可撓性帯体のバンド主体の長さ方向の中間部分を除く両端部分に、一対のクランプスライド部を設けたものであり、かつ該クランプスライド部は、両端のみを前記バンド主体に固定して該バンド主体に重合した可撓性帯体のクランプレールと、該クランプレールを一対のクランプ片間に挟んで該クランプレールに沿ってスライド移動自在に配したばね付勢形態の物挟みクランプとを備えた構造に構成したものである。
【０００６】
従ってこの特許文献２のエプロン類用着用バンド・物挟み吊下げバンドによれば、その着用バンドの前記中間部分付近を首に掛け回し、その両端側の物挟みクランプでエプロン等をクランプして胸の前に位置させることができる。その高さが不適当である場合には、クランプレールに沿って前記物挟みクランプを動かしてその位置を調整し、エプロンの位置を適切に調整することができる。
【０００７】
しかしこのエプロン類用着用バンド・物挟み吊下げバンドは単なるバンドであり、デザイン性に優れたおしゃれな部材であるとは云えない。また用途が限定され、眼鏡吊りのような比較的小さな物品の吊り下げには適さないと思われる。
【０００８】
特許文献３は、マグネットメガネ吊り紐に関し、吊り紐と、該吊り紐の長さ方向の途中に該吊り紐の長さ方向に沿って移動自在に配した二つのマグネットと、該吊り紐の両端に配したメガネホルダーと、で構成したものである。
【０００９】
従ってこの特許文献３のマグネットメガネ吊り紐によれば、吊り紐の中央付近を首の後ろに掛け、その吊り紐の両端のメガネホルダーでメガネの両側のつるをそれぞれ保持することで、メガネを使用しないときには、胸の前にそのメガネを吊したり、そのまま胸ポケットに入れたりすることができる。このとき、吊り紐が長すぎる場合は、前記二つのマグネットを該吊り紐に沿って動かして適当な位置でマグネット相互を相互に吸着結合させることにより、該吊り紐のそれより前の部分を短くし、該マグネットで結合した付近を首の後ろに位置させた状態とすると、吊り下がったメガネの高さを適当な高さに調節できることになる。
【００１０】
しかしこの特許文献３のマグネットメガネ吊り紐は、その長さの調節は、その途中相互をマグネットで接続することで行うものであり、背後に余分な部分が突出状態になる等、意匠上、適切とは思えない構成であり、その他の構成もデザイン上の工夫が全くなされていない。また用途も限定され、鞄類の吊り下げを含めた多用途の使用には適さない。
【００１１】
特許文献４は、吊り具に関し、これは、一端に吊り対象物を保持する保持部を有し、他端に留めを有する二本の吊紐と、各吊紐が挿通されかつ当該吊紐に加圧状態で接触する摩擦材を内設する二つの調整部と、該二つの調整部相互を接続する首掛け紐と、を備えたものである。
【００１２】
従ってこの特許文献４の吊り具によれば、これを首に掛けてメガネ等を胸の前に吊り下げるために使用することが可能である。吊紐が長すぎる場合には、調整部の反対側に出ている留め側を引っ張って短くすることが可能であり、短い場合は、逆に操作をして長くすることが可能である。
【００１３】
しかしこの特許文献４の吊り具は、その調整部が大げさで、このような眼鏡を吊る道具としてはデザイン性に問題がある。また他の物品の吊り下げ具としては、不適当であると思われる。
【先行技術文献】
【特許文献】
【００１４】
【特許文献１】登録実用新案第３０９７３０７号公報
【特許文献２】特開２００３−３４２８１７号公報
【特許文献３】登録実用新案第３０９２５４７号公報
【特許文献４】特許第４３０４６７９号公報
【考案の概要】
【考案が解決しようとする課題】
【００１５】
本考案は、要介護者用等の食事用エプロン、眼鏡、カバン又は袋物、若しくは手荷物等の種々の物品の吊り下げのために用いることが可能で、長さ調節が可能であり、かつ意匠性に優れた多用途装飾ストラップを提供することを解決の課題とするものである。
【課題を解決するための手段】
【００１６】
本考案の１は、貫通穴を有する両端側の二個の端コマと、
前記両端側の二個の端コマの間に位置する装飾を兼ねた貫通穴を有する複数の制動コマと、
一端側の端コマの貫通穴を貫通させ、かつ両端側の端コマ間に位置する制動コマの貫通穴を貫通させた上で、他端側の端コマの外周側を通過させて折り返し、該他端側の端コマの貫通穴を反対側から貫通させ、再度、両端側の端コマ間に位置する制動コマの貫通穴を貫通させた上で、前記一端側の端コマの貫通穴を貫通させて折返し、該一端側の端コマの外周側を通って延長し、また両端側の端コマ間に位置する制動コマの貫通穴を貫通させ、更に他端側の端コマの貫通穴を貫通させて延長するストラップ本体と、
前記二度の折返しによって三本の束状になった一本のストラップ本体の長さ方向中央部に配した中央目印体と、
前記中央目印体の両側に位置するそれぞれ複数の制動コマのうちの各々一以上の制動コマに、該制動コマをその内側に位置させ、かつそれ自体を前記二度の折返しによって三本の束状になったストラップ本体の間に位置させるべく配した装飾兼用の制動補助円環と、
前記ストラップ本体の両端部に各々留め用球体を結合し、そのストラップ本体を各々留め用球体を結合した両端部近傍で折り返し、各々該ストラップ本体の該両端部近傍の折返し部から該留め用球体までを貫通穴を備えた一以上の装飾コマの該貫通穴に貫通させた上で、該両端部近傍の折り返し部に結合させた吊り下げ対象を連結するための連結手段と、
で構成した多用途装飾ストラップである。
【００１７】
本考案の２は、本考案の１の多用途装飾ストラップにおいて、
前記ストラップ本体として、複数本のストラップ材で構成したそれを採用したものである。
【００１８】
本考案の３は、本考案の１又は２の多用途装飾ストラップにおいて、
前記連結手段として、メガネのつるに外装係止するための弾力性環体、エプロンの縁を掴むためのクリップ又はカバンの取っ手に係止するためのカラビナ又はフックを採用したものである。
【考案の効果】
【００１９】
本考案の１の多用途装飾ストラップによれば、その両端側の二つの連結手段として、例えば、メガネのつるを外装係止できる弾性環材を採用した場合は、該両端側の連結手段でメガネの両側のつるを外装係止し、ストラップ本体の中央部付近を首の後ろ側に回して首に掛ければ、そのメガネを胸の前に吊り下げることができる。長さが適当でなければ、これを長短いずれにも簡単に調節することができる。またストラップ本体として意匠性の優れたものを採用すれば、その他の構成要素である制動コマは装飾を兼ねたそれを採用したものであり、このようなメガネ吊りとして最適に使用することができる。その他、連結手段として、種々の態様のそれ、例えば、鞄類の取っ手を係止できるそれ、エプロンの縁を掴むことのできるそれ、袋物の縁又は手提げ部を掴むことができるそれを採用し、対応する連結手段を用いてカバンや袋物の取っ手に結合することとすれば、これらを持ち運ぶ際に最適に使用することができる。多用途に用いることができるものである。
【００２０】
本考案の１の多用途装飾ストラップは、前記のように、長さを簡単に調節することができる。これを図２及び図３を参照しつつ説明する。
【００２１】
まずこれを伸長させる場合は、ストラップ本体３の両端側を、図２(a)に示す状態から、図２(b)に示すように、端コマ１、１から外側方向に引き出す。このストラップ本体３の両端側の引き出しは、片側ずつ順次行うのが適当である。一方の手で一方の端コマ１を掴んだ上で、対応する側のストラップ本体３の端部側を他方の手で掴んで必要なだけ引き出す。この後、他方の側の端コマ１をやはり一方の手で掴んだ上で、対応する側のストラップ本体３の端部側を他方の手で掴んで必要なだけ引き出す。こうすると、図２(c)に示すように、両側の端コマ１、１の間の間隔が縮小するため、その間のストラップ本体３の中央側の部分が曲線状態になる。
【００２２】
続いて、両端コマ１、１間のストラップ本体３の中央側の部分を、図２(c)に矢印で示すように、その両端コマ１、１の外側の折返し部分を掴んで、外方に引っ張り、図２(d)に示すように、曲線状に縮小した状態から直線状に延びた状態にする。こうして、別の見方をすると、両端コマ１、１の外側の折り返し部分を両端コマ１、１から外方に位置するように移動させる。
【００２３】
この後、両端コマ１、１を、それぞれ、図２(d)に矢印で示すように、外方に向かって移動させ、図２(e)に示すように、折り返し部分の直近の内側に位置させるようにする。これでこの多用途装飾ストラップは伸長状態になる。
【００２４】
この多用途装飾ストラップを短縮させる場合は、この多用途装飾ストラップの両側の折り返し部分を、図３(a)に示す状態から、図３(b)に矢印で示すように、引いて、該折り返し部分を、両端コマ１、１の外方に離れて位置するようにする。より具体的には、該折り返し部分を掴んで、ストラップ本体３の両端側を、該折り返し部分側に引いて、該折り返し部分を、両端コマの外方に離れて位置するようにする。
【００２５】
この後、図３(c)に示すように、両端コマ１、１を、それぞれ対応する折り返し部分の直近の内側まで移動させれば、この多用途装飾ストラップの短縮操作は完了である。
【００２６】
本考案の２の多用途装飾ストラップによれば、ストラップ本体として，複数本のストラップ材で構成したそれを採用したので、重量の大きな物品の吊り下げに容易に対応可能であり、かつ複数本で構成することにより、意匠性も高めることが可能になる。
【００２７】
本考案の３の多用途装飾ストラップによれば、連結手段として、吊り下げ対象に最適なそれを採用することにより、吊り下げ対象を良好に吊り下げることができる。
【図面の簡単な説明】
【００２８】
【図１】本考案の多用途装飾ストラップの概念図。
【図２】(a)は本考案の多用途装飾ストラップの伸長操作の説明用全体図（両端の連結手段を省略，以下同じ）、(b)は両端を引いて開始する伸長操作の開始状態を示す説明図、(c)は両端を引いた状態の説明図、(d)は折返し部分を引いた状態の説明図、(e)は端コマを外方に移動させた伸長操作の終了時点を示す説明図。
【図３】(a)は本考案の多用途装飾ストラップの短縮操作の説明用全体図（両端の連結手段を省略，以下同じ）、(b)は両側の折返し部を引いて開始する短縮操作の開始状態を示す説明図、(c)は端コマを外方に移動させた短縮操作の終了時点を示す説明図。
【図４】実施例の多用途装飾ストラップの正面図。
【図５】(a)は中央目印体の正面図、(b)は中央目印体の縦断面図、(c)は制動コマの正面図、(d)は制動コマの縦断面図、(e)は制動補助円環の正面図、(f)は制動補助円環の縦断面図、(g)は制動コマと制動補助円環とによる制動作用を説明する拡大断面説明図。
【考案を実施するための形態】
【００２９】
この実施例の多用途装飾ストラップは、図１及び図４に示すように、基本的に、貫通穴を有する両端側の各１個の端コマ１、１と、該両端側の端コマ１、１の間に位置する貫通穴を有する装飾を兼ねた１８個の制動コマ２、２…（図１は概念図であり、制動コマ２の形状や数までは示してない、他の要素も同様である）と、一端側の端コマ１の貫通穴を貫通させ、かつ該一端側の端コマ１及び他端側の端コマ１の間に位置する前記１８個の制動コマ２、２…の貫通穴を順次貫通させた上で、他端側の端コマ１の外周側を通過させて折り返し（この部位を折返し部１０と称する）、該他端側の端コマ１の貫通穴を反対側から貫通させた上で、再度、両端側の端コマ１、１間に位置する１８個の制動コマ２、２…の貫通穴を反対側から貫通させ、前記一端側の端コマ１の貫通穴を貫通させて折返し（この部位も同様に折返し部１０と称する）、該一端側の端コマ１の外周側を通って延長し、また両端側の端コマ１、１間に位置する１８個の制動コマ２、２…の貫通穴を貫通させ更に他端側の端コマ１の貫通穴を貫通させて延長するストラップ本体３と、前記二度の折返しによって三本の束状になった一本のストラップ本体３の長さ方向中央部に配した球状の中央目印体４と、該中央目印体４の両側に位置するそれぞれ９個の制動コマ２、２…のうちの各々２個の制動コマ２、２に、該各一個の制動コマ２をその内側に位置させ、かつそれ自体を前記二度の折返しによって三本の束状になったストラップ本体３の間に位置させるべく配した装飾を兼ねる制動補助円環５と、前記ストラップ本体３の両端部に各々留め用球体６を結合し、そのストラップ本体３を各々留め用球体６を結合した両端部近傍で折り返し、各々該ストラップ本体３のその折返し部分である末端折返し部７から該留め用球体６までを各々貫通穴を備えた２個の装飾コマ８、８の該貫通穴に貫通させた上で、該各末端折返し部７に結合させた吊り下げ対象を連結するための連結手段９とで構成したものである。
【００３０】
前記端コマ１は、図１及び図４に示すように、前記ストラップ本体３の両端部側に位置するが、より具体的には、両末端部の手前側に位置し、かつ該ストラップ本体３の途中の折返し部１０、１０との関係では、定常状態では、その直近の内側に位置するものであり、図４及び図５(c)及び(d)に示すように、該端コマ１は、この実施例では、球形の部材で、その中心を前記貫通穴が貫通するように構成したものである。またこの実施例では、該端コマ１は、プラスチックで成形し、その外面を金属色に構成したものである。勿論、該端コマ１は、このような構成に限定されるものではなく、金属質材又は木質材その他の部材を用いて構成することも可能であり、更にその形状も球体の他、楕円球体、若しくは多面体その他を採用することもできる。
【００３１】
前記制動コマ２は、図４に示すように、この実施例では、前記端コマ１と全く同様の構成のそれを採用したものである。勿論、他の構成のそれを採用することも自由である。ただし、その貫通穴は、前記のように、前記ストラップ本体３が二度の折返しによってその中を三度通過する、すなわち、事実上、三本のそれが通過する状態になるので、それがスムーズに行える径である必要がある。また装飾性を十分考慮した物であるべきである。
【００３２】
前記ストラップ本体３は、この実施例では、化学繊維で構成した紐状部材を採用したが、これに限定されない。基本的に、吊り下げ対象の重量等を考慮してその強度を適切に設定し、更にデザイン性に優れたそれを採用する。その径は、前記端コマ１、前記制動コマ２、及び前記装飾コマ８の貫通穴の内径を考慮して挿入可能なように設定する。なお、この実施例では、ストラップ本体３として、一本で構成されたそれを採用したが、二本又は三本等の複数本のストラップ材を一体にしたそれを採用することもできる。
【００３３】
前記中央目印体４は、図４に示すように、ストラップ本体３の中央部に配する部材である。この実施例では、図５(a)、(b)に示すように、該中央目印体４として、中央に貫通穴を備えた球形の金属部材を採用し、該ストラップ本体３を該貫通穴に貫通させ、この中央目印体４をその中央部に移動させた上で、若干かしめてその中央位置に固定したものである。この中央目印体４は、後述するように、この多用途装飾ストラップを伸縮させる場合に、ストラップ本体３の中央部が、この多用途装飾ストラップの中央部に位置するように調整するための目印とするものである。
【００３４】
前記制動補助円環５は、図４及び図５(e)、(f)に示すように、この実施例では、前記中央目印体４の両側の各々９個の制動コマ２、２…のうちの、中央目印体４から３番目及び端コマ１から３番目の二つの制動コマ２、２をそれぞれ中央に位置させた状態に配する環状部材である。ストラップ本体３は１本で構成されているが、二度の折返しにより、制動コマ２、２…の配してある部位では３本が通過しているような状態となっている。該制動補助円環５は、ストラップ本体３との関係では、制動コマ２、２…の前後を通過する３本と見なしうるそれの間に配するものである。該制動補助円環５の一側面側にはストラップ本体３の２本が通過し、他側面側にはその１本が通過するように配する。
【００３５】
この制動補助円環５は、図４及び図５(e)、(f)に示すように、前記制動コマ２、２…より径の大きな円環状部材であり、この実施例では、金属部材で構成したものである。この制動補助円環５は、文字通り、対応する制動コマ２と協同して制動作用を発揮するものである。この多用途装飾ストラップを直線状態にしてそのストラップ本体３の両端を相互に離れる方向に引っ張ると、図５(g)に示すように、制動補助円環５の両側を通過するストラップ本体３は、該図中に丸印で示したように、該制動補助円環５の内周両縁及び制動コマ２の貫通穴の両端の開口部縁に、それぞれ強く圧接し、それらの部位で制動作用を受けることになる。両端の連結手段９で吊り下げ対象物品を吊り下げる際には、以上に述べたように、関係部分が直線的に惹かれることになるので、以上のように制動作用が生じ、この多用途装飾ストラップが無用に伸長してしまうようなことはない。
【００３６】
前記留め用球体６は、図１及び図４に示すように、この実施例では、中央に貫通穴を備えた球形の金属部材を採用し、該ストラップ本体３の末端部を該貫通穴に挿入した上でかしめて該末端位置に固定したものである。この留め用球体６は、この実施例では、化学繊維で構成した紐状部材であるストラップ本体３の末端のほつれ防止及び該末端と前記末端折返し部７との間に配した前記２個の装飾コマ８、８の内部側への移動防止用として作用するものである。
【００３７】
前記末端折返し部７は、前記し、図４に示すように、留め用球体６を固設したストラップ本体３の末端を折り返して生じる部位であり、前記連結手段９を結合するための部位となるものである。
【００３８】
前記装飾コマ８は、図４に示すように、この実施例では、前記端コマ１及び制動コマ２と全く同様の部材を採用したものである。その材質、表面色、形状及び貫通穴も全く同様の物を採用した。勿論、他の構成のそれを採用することも全く自由である。この実施例では、前記し、図４に示すように、該装飾コマ８は、ストラップ本体３の末端折返し部７と留め用球体６の間に２個が配してあるが、更にストラップ本体３の留め用球体６と折返し部１０の間にも２個が配してある。
【００３９】
前記連結手段９は、吊り下げ対象の物品の所定の部位に連結し、該吊り下げ対象を吊り下げるための手段であり、図４に示した例では、メガネのつるに外装係止する手段に構成したものである。詳細には、図４に示すように、この連結手段９は、前記末端折返し部７に交叉状態に係止した結合リング９ａと、該結合リング９ａに更に交叉状態に係止したゴム環９ｂと、該ゴム環９ｂをメガネのつるに外装した際にその径を縮小させて外れ止めとするために該ゴム環９ｂに外装した調整筒９ｃとで構成したものである。
【００４０】
以上のように、前記連結手段９として、図４には、メガネのつるに外装係止する構成例のみを示したが、この連結手段９としては、これに限定されず、種々の吊り下げ対象に適する構成のそれを交換して用いることができる。例えば、要介護者が食事のときに用いる食事用エプロン等を吊り下げる場合は、該連結手段９として、クリップ類を採用し、これを前記末端折返し部７に直接に又は介在部材を介して取り付けて用いることができる。カバン等を吊り下げる場合は、前記末端折返し部７に直接に又は介在部材を介してカラビナ類又はフック類を取り付けて用いることができる。
【００４１】
この実施例の多用途装飾ストラップは、以上のように構成したものであり、それ故、図４に示すように、その両端側の二つの連結手段９、９として、メガネのつるを外装係止できるゴム環９ｂ等よりなる構成を採用したものであり、該両端側の連結手段９、９のゴム環９ｂ、９ｂでメガネの両側のつるに外装しかつ調整筒９ｃ、９ｃをメガネのつる側に動かしてその外装状態を締め付けて確定状態にした上で、ストラップ本体３の中央部付近を首の後ろに回して首に掛ければ、そのメガネを胸の前に吊り下げることができる。長さが適当でなければ、これを長短いずれにも簡単に調節することができる。
【００４２】
この多用途装飾ストラップを伸長させる場合は、まずストラップ本体３の両端の装飾コマ８、８付近を掴んで、該ストラップ本体３の端コマ１、１の内側の部分を、図２(a)に示す状態から、図２(b)に矢印で示すように、それぞれ該端コマ１、１の外側方向に引き出す。このストラップ本体３の端コマ１、１より内側の部分の引き出しは、片側ずつ順次行うのが適当である。
【００４３】
例えば、一方の手で一方の端コマ１を掴んだ上で、対応する側のストラップ本体３の端部側の装飾コマ８、８付近を他方の手で掴んでその端コマ１より内側の部分を必要なだけ引き出す。この後、他方の側の端コマ１をやはり一方の手で掴んだ上で、対応する側のストラップ本体３の端部側の装飾コマ８、８付近を他方の手で掴んでその端コマ１より内側の部分を必要なだけ引き出す。こうすると、図２(c)に示すように、両側の端コマ１、１の間の間隔が縮小することとなり、その間のストラップ本体３のうち、中央側の部分が曲線状態になる。
【００４４】
続いて、両端コマ１、１間のストラップ本体３の中央側の部分（曲線状態になっている部分）を、図２(c)に矢印で示すように、その両端コマ１、１の外側の折返し部１０を掴んで、それぞれ外方に引っ張り、図２(d)に示すように、該端コマ１、１の内側の部分を曲線状に縮小した状態から直線状に延びた状態に調整する。こうして、別の見方をすると、両端コマ１、１の外側の折返し部１０、１０が両端コマ１、１から若干離れた外方に位置するようにする。
【００４５】
この後、両端コマ１、１を、それぞれ、図２(d)に矢印で示すように、外方に向かって移動させ、図２(e)に示すように、折返し部１０、１０の直近の内側に位置させるようにする。こうしてこの多用途装飾ストラップは伸長状態にすることができる。
【００４６】
この多用途装飾ストラップを短縮させる場合は、この多用途装飾ストラップの両側の折返し部１０、１０を、図３(a)に示す状態から、図３(b)に矢印で示すように、引いて、該折返し部１０、１０を、両端コマ１、１の外方に離れて位置するようにする。詳細には、該折返し部１０、１０を掴んで、ストラップ本体３の両端側を、該折返し部１０、１０側に引いて、該折返し部１０、１０を、両端コマ１、１の外方に離間させた状態にする。
【００４７】
この後、両端コマ１、１を、それぞれ対応する折返し部１０、１０の直近の内側まで移動させれば、この多用途装飾ストラップの短縮操作は完了である。
【００４８】
以上の多用途装飾ストラップの伸縮操作は、急激に強くストラップ本体３を両側に引くようなことをしなければ、前記制動コマ２と前記制動補助円環５とによる制動作用が強く働くことはないので、その伸縮操作は、容易に行いうるものである。なお、該制動コマ２と該制動補助円環５とによる制動作用は、前記したとおりに行われる。
【００４９】
またこの多用途装飾ストラップは、ストラップ本体３と、端コマ１、１と、装飾を兼ねた１８個の制動コマ２、２…と、中央目印体４と、その両側の各々２個の制動コマ２、２をその中に位置させるべく配した装飾を兼ねる制動補助円環５と、ストラップ本体３の両端部の留め用球体６と、ストラップ本体３の両端付近の装飾コマ８、８…と、結合リング９ａと、該結合リング９ａに交叉状態に係止したゴム環９ｂと、該ゴム環９ｂに外装した調整筒９ｃとで構成した連結手段９とを組み合わせて図４に示すように構成したものであり、意匠性に優れたものでもある。それぞれの構成要素に意匠性に優れた物を採用すれば、一層その点で優れた物になる。
【００５０】
この実施例の多用途装飾ストラップは、前記のように、メガネ吊りとして最適に使用することができるものであるが、前記したように、連結手段９として、クリップ類、フック類、カラビナ又はフック類等の種々の態様のそれ、例えば、鞄類の取っ手を係止できるそれ、エプロンの縁を掴むことのできるそれ、袋物の縁又は手提げ部を掴むことができるそれを採用し、対応する連結手段９を用いてカバンや袋物の取っ手に結合することとすれば、これらを持ち運ぶ際に最適に使用することができる。すなわち多用途に用いることができるものである。
【産業上の利用可能性】
【００５１】
本考案は、各種ストラップの製造の分野で利用可能である。
【符号の説明】
【００５２】
１    端コマ
２    制動コマ
３    ストラップ本体
４    中央目印体
５    制動補助円環
６    留め用球体
７    末端折返し部
８    装飾コマ
９    連結手段
９ａ  結合リング
９ｂ  ゴム環
９ｃ  調整筒
１０  折返し部
【図１】
0003177240.tif 000003
【図２】
0003177240.tif 000004
【図３】
0003177240.tif 000005
【図４】
0003177240.tif 000006
【図５】
0003177240.tif 000007